【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
吸入口および吐出口を有する液体ディスペンサデバイスのための与圧システムであって、該与圧システムは、
吸入口から液体を吸い込み、吐出口から液体を放出するための移動可能なピストンを内部に有するポンプチャンバと、
ポンプチャンバ内の圧力が所定の圧力に達した場合にのみ、ポンプチャンバ内の液体を吐出口に送出し、ポンプチャンバ内の圧力が所定の圧力以下となった場合には吐出口への液体の送出を阻止するように作動する、ポンプチャンバと吐出口の間に配設されたバルブ部材を有するバルブチャンバと、
バルブチャンバは、ポンプチャンバと流体連通する入口端部と、吐出口と流体連通する出口端部と、入口端部と出口端部の間に配設されたバルブシート開口部を含むバルブシートとを有し、
バルブ部材は、バルブシート開口部を通常閉じる弾性ダイアフラムを有し、
弾性ダイアフラムは、バルブシート開口部に面し、ポンプチャンバと流体連通する凹状表面と、大気圧と流体連通する凸状表面とを有し、
バルブ部材は、弾性ダイアフラムの外側周縁部を包囲して保持するスリーブを有し、
スリーブは、弾性ダイアフラムの作動方向に沿った長手方向の寸法を有し、該長手方向の寸法がバルブチャンバの深さに対応する寸法より大きいことを特徴とする与圧システム。
【請求項２】
弾性ダイアフラムは、バルブシートの周囲に伸張していることを特徴とする請求項１に記載の与圧システム。
【請求項３】
スリーブの長手方向の寸法は、弾性ダイアフラムの平面に垂直に延びていることを特徴とする請求項１に記載の与圧システム。
【請求項４】
弾性ダイアフラムおよびスリーブは、プラスティック材料を用いて一体成形されることを特徴とする請求項１〜３のいずれか１に記載の与圧システム。
【請求項５】
弾性ダイアフラムは、非伸張形状として成形され、バルブシートの上方で伸張したときの伸張形状となり、非伸張形状の凹の度合いが伸張形状より小さいことを特徴とする請求項１〜３のいずれか１に記載の与圧システム。
【請求項６】
弾性ダイアフラムは、凸状形状にモールド成形され、スリーブがバルブチャンバ内に配置されたとき、凹状形状に伸張することを特徴とする請求項５に記載の与圧システム。
【請求項７】
スリーブは、長手方向であってスリーブの内壁に沿って延びる複数のリブを有することを特徴とする請求項１〜３のいずれか１に与圧システム。
【請求項８】
ａ）スリーブは、弾性ダイアフラムの作動方向に沿った長手方向の寸法を有し、該長手方向の寸法がバルブチャンバの対応する長手方向の寸法より大きいか、あるいは
ｂ）スリーブは、弾性ダイアフラムの作動方向に沿った長手方向の寸法と、直径方向の寸法とを有し、直径方向の寸法が長手方向の寸法より大きいことを特徴とする請求項１〜３のいずれか１に与圧システム。
【請求項９】
液体ディスペンサデバイスが端壁を含むシュラウドを有し、
シュラウドの端壁は、バルブチャンバに位置合わせされ、
バルブ部材は、スリーブを端壁に当接させて、バルブチャンバ内に固定されることを特徴とする請求項１〜３のいずれか１に記載の与圧システム。
【請求項１０】
吸入口および吐出口を有し、請求項１〜９のいずれか１に記載の与圧システムを備えたことを特徴とする液体ディスペンサデバイス。
【請求項１１】
スリーブは、弾性ダイアフラムの作動方向に沿った長手方向の寸法を有し、端壁によりバルブチャンバ内に固定されることを特徴とする請求項１に記載の液体ディスペンサデバイス。
【請求項１２】
吸入口および吐出口を有する液体ディスペンサデバイスのための与圧システムを組み立てる方法であって、
内部で移動可能なピストンを有するポンプチャンバを提供するステップと、
ポンプチャンバと吐出口の間に配設されたバルブチャンバを提供するステップとを有し、
バルブチャンバは、ポンプチャンバと流体連通する入口端部と、吐出口と流体連通する出口端部と、入口端部と出口端部の間に配設されたバルブシート開口部を含むバルブシートとを有し、
バルブ部材の弾性ダイアフラムがバルブシート開口部を通常閉じるようにバルブ部材をバルブチャンバ内に配置するステップをさらに有し、
バルブ部材は、弾性ダイアフラムの外側周縁部を包囲して保持するスリーブを有し、
スリーブがバルブチャンバ内に配置され、
スリーブは、弾性ダイアフラムの作動方向に沿った長手方向の寸法を有し、該長手方向の寸法をバルブチャンバの深さに対応する寸法より大きくすることにより、バルブ部材とスリーブとがバルブチャンバ内で圧縮されて嵌合することを特徴とする方法。
【請求項１３】
弾性ダイアフラムは、バルブシートの周囲に伸張していることを特徴とする請求項１２に記載の方法。
【請求項１４】
弾性ダイアフラムおよびスリーブは、プラスティック材料を用いて一体成形され、
弾性ダイアフラムは、非伸張形状として成形され、バルブシートの上方で伸張したときの伸張形状となり、非伸張形状の凹の度合いが伸張形状より小さいことを特徴とする請求項１２に記載の方法。
【請求項１５】
弾性ダイアフラムは、凸状形状にモールド成形され、スリーブがバルブチャンバ内に配置されたとき、凹状形状に伸張することを特徴とする請求項１４に記載の方法。
【請求項１６】
液体ディスペンサデバイスが端壁を含むシュラウドを有し、
この方法は、シュラウドの端壁をバルブチャンバに位置合わせし、バルブ部材をバルブチャンバ内に固定するためにスリーブに当接させるステップを有することを特徴とする請求項１２に記載の方法。
【請求項１７】
スリーブは、弾性ダイアフラムの作動方向に沿った長手方向の寸法を有し、該長手方向の寸法がバルブチャンバの対応する寸法より大きくすることにより、端壁がスリーブに当接したとき、バルブ部材に圧縮応力を加え、弾性ダイアフラムをバルブシート上で伸張させることを特徴とする請求項１２に記載の方法。
【請求項１８】
吸入口および吐出口を有する液体ディスペンサデバイスのための与圧システムであって、該与圧システムは、
吸入口から液体を吸い込み、吐出口から液体を放出するための移動可能なピストンを内部に有するポンプチャンバと、
ポンプチャンバ内の圧力が所定の圧力に達した場合にのみ、ポンプチャンバ内の液体を吐出口に送出し、ポンプチャンバ内の圧力が所定の圧力以下となった場合には吐出口への液体の送出を阻止するように作動する、ポンプチャンバと吐出口の間に配設されたバルブ部材を有するバルブチャンバと、
バルブチャンバは、ポンプチャンバと流体連通する入口端部と、吐出口と流体連通する出口端部と、入口端部と出口端部の間に配設されたバルブシート開口部を含むバルブシートとを有し、
バルブ部材は、バルブシート開口部を通常閉じる弾性ダイアフラムを有し、
バルブ部材は、弾性ダイアフラムの外側周縁部を包囲して保持するスリーブを有し、
スリーブがバルブチャンバ内に配置され、
スリーブは、弾性ダイアフラムの作動方向に沿った長手方向の寸法を有し、該長手方向の寸法がバルブチャンバの深さに対応する寸法より大きくすることにより、バルブ部材とスリーブとがバルブチャンバ内で圧縮されて嵌合することを特徴とする与圧システム。
【請求項１９】
弾性ダイアフラムおよびスリーブは、プラスティック材料を用いて一体成形されることを特徴とする請求項１８に記載の与圧システム。
【請求項２０】
スリーブは、弾性ダイアフラムの作動方向に沿った長手方向の長さと、直径方向の寸法とを有し、
ａ）スリーブの長さは、バルブチャンバの対応する長さより大きいか、あるいは
ｂ）スリーブの直径は、スリーブの長さより大きいことを特徴とする請求項１８または１９に記載の与圧システム。
【請求項２１】
液体ディスペンサデバイスが端壁を含むシュラウドを有し、
シュラウドの端壁は、バルブチャンバに位置合わせされ、
バルブ部材は、スリーブを端壁に当接させて、バルブチャンバ内に固定されることを特徴とする請求項１８〜２０のいずれか１に記載の与圧システム。
【請求項２２】
弾性ダイアフラムは、バルブシート開口部に面し、ポンプチャンバと流体連通する凹状表面と、大気圧と流体連通する凸状表面とを有することを特徴とする請求項１２〜１７のいずれか１に記載の方法。
【請求項２３】
バルブ部材は、弾性ダイアフラムの外側周縁部を包囲して保持するスリーブを有し、
スリーブは、弾性ダイアフラムの作動方向に沿った長手方向の寸法を有し、
弾性ダイアフラムは、バルブ部材がバルブチャンバ内に封止して配置されたとき、バルブシートの周囲に伸張していることを特徴とする請求項１２〜１７のいずれか１に記載の方法。
【請求項２４】
液体ディスペンサデバイスのための与圧システムのバルブチャンバ内で用いられるバルブ部材であって、
バルブチャンバ内のバルブシートに係合する弾性ダイアフラムを有し、バルブシートに係合する凹状表面と、バルブシート面しない凸状表面とを有し、
バルブ部材は、弾性ダイアフラムの外側周縁部を包囲して保持するスリーブを有し、
スリーブは、バルブチャンバ内に配置され、弾性ダイアフラムの作動方向に沿った長手方向の寸法を有し、
スリーブの長手方向の寸法を対応するバルブチャンバの深さより大きくすることにより、バルブ部材とスリーブとがバルブチャンバ内で圧縮されて嵌合することを特徴とするバルブ部材。